(57)【特許請求の範囲】
【請求項１】
画素配列を構成する画像部から垂直転送路への電荷移送を制御する電荷移送ゲートを複数の相に分割して駆動可能な固体撮像素子と、
上記複数の相に対応して複数の電荷移送ゲート駆動パルスを上記固体撮像素子に供給可能な駆動手段と、
露光開始から所定の露光時間が経過した時点で上記電荷移送ゲート駆動パルスを出力することで露光を終了させる露光制御手段と、
上記固体撮像素子の出力信号を読み出す出力信号読み出し手段と、
当該露光に際して上記複数の相に対応した複数の電荷移送ゲート駆動パルスの出力タイミングが所定の時間差を有して為された場合には、上記出力信号読み出し手段が読み出した出力信号に対して、上記露光時間および出力信号レベルに応じて定まる所定の信号補正量を加算する信号補正手段と、
を具備したことを特徴とする撮像装置。
【請求項２】
上記信号補正手段は、上記出力信号読み出し手段が読み出した出力信号に所定のガンマ変換処理を行った後に上記加算補正を施すことを特徴とする請求項１に記載の撮像装置。
【請求項３】
上記信号補正手段は、上記露光時間が所定値以上である場合には、上記加算補正を行わないことを特徴とする請求項１または２に記載の撮像装置。
【請求項４】
上記信号補正手段は、当該露光に際してのストロボ使用状況に応じて、上記加算補正における信号補正量を変化させることを特徴とする請求項１乃至３のいずれかに記載の撮像装置。
【発明の詳細な説明】
【０００１】
【発明の属する技術分野】
本発明は、撮像装置に関する。
【０００２】
【従来の技術】
近年、ＣＣＤ等の撮像素子により被写体像を撮像して映像信号を得るデジタルスチルカメラ（電子カメラ）が盛んに開発されている。この撮像素子の駆動にはさまざまな工夫が為されており、この工夫の一つに、ＴＧパルスのタイミングをずらして電荷移送を行う技術が知られている。
【０００３】
詳述すれば、撮像素子における露光（電荷蓄積）の終了は、メカニカルシャッタ等を用いない場合は、光電変換蓄積部（画素部）から垂直転送路に電荷を移送する上述のＴＧパルスの出力によって行われる。従って、一般的にＴＧパルスの出力は全画素同時に行なわれることが望ましく、このように制御されることが多い。
【０００４】
ところが、撮像素子の実力によっては、全画素同時にＴＧパルスを与えると、画素部近傍領域の基板ポテンシャルが大きく変動することに起因して、半導体基板からの電荷逆注入現象が生じ、擬似信号の原因となることがあった。この不具合の対策としては、ＴＧ駆動ラインを複数の相に分割し、各相のＴＧパルス出力タイミングを最小限度（数１０μｓ程度）ずらすことが考えられる。
【０００５】
また、これとは別に、例えばベイヤ配列等、色コーディングされたカラー撮像素子を用いて、近隣画素のうち同色のもの同士を、異色が混合しないように加算して読み出すために、複数の相に分割されたＴＧ駆動ラインを、タイミングをずらして順次駆動し、その間に数画素（数ライン）分の垂直転送を行う、いわゆる「画素の並べ替え加算読み出し」を行う技術も知られている。
【０００６】
これらのように、さまざまな目的で相によってＴＧパルスのタイミングをずらした場合、問題になるのはその時間差分だけ各相の露光時間に差が生じて、このため各相に対応するライン群毎に露光量に差が生じてしまうことである。この露光量差は画像の横縞（ライン段差）となって現れ、不具合となる。この不具合の対策として、露光量（露光時間）の多少に応じて信号ゲインを可変する補正が知られており、これは概念的には乗算による補正ということになる。
【０００７】
【発明が解決しようとする課題】
上述したような各相に対応するライン毎のゲインの補正（乗算）をアナログ的に行う場合は、そのハード規模の増加や、回路の不安定に起因する障害などの不具合を伴うことが多い。そこで撮像素子の信号出力をＡＤ変換した後のデジタル信号に対する乗算演算が用いられるが、この場合、
（１）演算処理時間が長くなり、所定の時間内に処理を終了することが不可能になる場合がある。
（２）ビット誤差（量子化誤差）の影響が演算によって拡大し、十分な補正が行なわれない場合がある。
等の新たな問題点を生ずることになる。
【０００８】
本発明はかかる問題点に鑑みてなされたものであり、上記問題点を生じることなく、短い演算時間で、信号処理における不具合を生じること無くライン間段差を解消することができる撮像装置を提供することを目的とする。
【０００９】
【課題を解決するための手段】
上記の目的を達成するために本発明の第１の撮像装置は、画素配列を構成する画像部から垂直転送路への電荷移送を制御する電荷移送ゲートを複数の相に分割して駆動可能な固体撮像素子と、上記複数の相に対応して複数の電荷移送ゲート駆動パルスを上記固体撮像素子に供給可能な駆動手段と、露光開始から所定の露光時間が経過した時点で上記電荷移送ゲート駆動パルスを出力することで露光を終了させる露光制御手段と、上記固体撮像素子の出力信号を読み出す出力信号読み出し手段と、当該露光に際して上記複数の相に対応した複数の電荷移送ゲート駆動パルスの出力タイミングが所定の時間差を有して為された場合には、上記出力信号読み出し手段が読み出した出力信号に対して、上記露光時間および出力信号レベルに応じて定まる所定の信号補正量を加算する信号補正手段と、を具備したことを特徴とする。
【００１０】
上記の目的を達成するために本発明の第２の撮像装置は、上記第１の撮像装置において、上記信号補正手段は、上記出力信号読み出し手段が読み出した出力信号に所定のガンマ変換処理を行った後に上記加算補正を施すことを特徴とする。
【００１１】
上記の目的を達成するために本発明の第３の撮像装置は、上記第１または第２の撮像装置において、上記信号補正手段は、上記露光時間が所定値以上である場合には、上記加算補正を行わないことを特徴とする。
【００１２】
上記の目的を達成するために本発明の第４の撮像装置は、上記第１乃至３の撮像装置において、上記信号補正手段は、当該露光に際してのストロボ使用状況に応じて、上記加算補正における信号補正量を変化させることを特徴とする。
【００１３】
【発明の実施の形態】
以下、図面を参照して本発明の実施の形態を説明する。
【００１４】
図１は、本発明の第１の実施形態である撮像装置の概略構成を示したブロック図である。なお、ここでは、デジタルカメラとして実現した場合を例示して説明することにする。
【００１５】
図１に示すように、本実施形態のデジタルカメラ１００は、各種レンズからなるレンズ系１０１と、このレンズ系１０１を駆動するためのレンズ駆動回路１０２と、レンズ系１０１の絞りを制御するための露出制御機構１０３と、メカニカルシャッタ１０４と、ベイヤ配列の色フィルタを内蔵したＣＣＤカラー撮像素子１０５と、このＣＣＤカラー撮像素子１０５を駆動するためのＣＣＤ駆動回路であるＴＧブロック（タイミングジェネレータＴＧ、およびＳＧを含む）１０６と、ＣＣＤカラー撮像素子１０５のＣＣＤ出力信号の事前処理回路であるプリプロセス回路（サンプルホールド回路であるＣＤＳ、クランプ回路、Ａ／Ｄコンバータ等を含む）１０７と、ガンマ変換処理、色信号生成処理、マトリックス変換処理その他各種のデジタル処理を行うためのデジタルプロセス回路１０８と、外部のメモリカード１１０を着脱可能とするカードインターフェース１０９と、ＬＣＤ画像表示系１１１と、を備えている。
【００１６】
また、当該デジタルカメラ１００は、各部を統括的に制御するためのシステムコントローラ（ＣＰＵ）１１２を備える。システムコントローラ１１２は、その内部の機能としてパラメータ認識手段１２０を備える。このパラメータ認識手段１２０は、露光時間（シャッタ番号ｔｎ）および画素毎の信号のレベルおよびこれが属する群を認識する役目を果たす。
【００１７】
また、上記デジタルプロセス回路１０８は、ガンマ変換処理、色信号生成処理、マトリックス変換処理その他各種のデジタル処理を行う他、その内部の機能として段差補正演算回路１２１を備える。この段差補正演算回路１２１は、後述する補正量テーブルに従って求めた補正量をその画素の信号レベルに加算する役目を果たす。すなわち、露光に際してＴＧブロック１０６からのＴＧパルスの出力タイミングが所定の時間差を有して為された場合には、ＣＣＤカラー撮像素子１０５のＣＣＤ出力信号に対して、露光時間および出力信号レベルに応じて定まる所定の信号補正量を加算する役目を果たす。詳しくは後述する。
【００１８】
当該デジタルカメラ１００は、さらに、各種操作ボタンからなる操作スイッチ系１１３、操作状態及びモード状態等を表示するための操作表示系１１４、発光手段としてのストロボ１１５、上記レンズ駆動回路１０２を制御するためのレンズドライバ１１６、ストロボ１１５および露出制御機構１０３を制御するための露出制御ドライバ１１７、各種設定情報等を記憶するための不揮発性メモリ（ＥＥＰＲＯＭ）１１８を備えている。
【００１９】
本実施形態のデジタルカメラ１００における全制御はシステムコントローラ１１２が各部を統括的に制御することで行われる。特にＣＣＤカラー撮像素子１０５における加算読み出しはシステムコントローラ１１２の制御下にＴＧブロック１０６によって行われる。また、デジタル加算およびその他の全ての信号処理はシステムコントローラ１１２の制御下にデジタルプロセス回路１０８によって行われる。すなわち、ＴＧブロック１０６によりＣＣＤカラー撮像素子１０５の駆動を制御して露光（電荷蓄積）及び信号の読み出しを行い、プリプロセス回路１０７を介して上記読み出し信号をデジタルプロセス回路１０８に取込んで、各種信号処理を施した後にカードインターフェース１０９を介して着脱可能なメモリカード１１０に記録するようになっている。
【００２０】
また、上記露光に際してストロボ１１５を使用する場合には、システムコントローラ１１２の制御下に、露出制御ドライバ１１７を制御してストロボ１１５に発光開始、停止の各制御信号を送ることによりストロボ１１５を発光させるものである。
【００２１】
なお、本実施形態では、上記ＣＣＤカラー撮像素子１０５としては、プログレッシブスキャン（順次走査）型でインターライン構造のものが使用される。また垂直転送路は一般的な４相駆動である。４相駆動方式のＣＣＤ撮像素子では転送電極は４相（すなわち対応する駆動入力端子は４個）あるが、このうち特定の１相が光電領域から転送路への電荷移送に割り当てられており、その電極に通常の電荷転送時（例示値￣７Ｖ）とは逆極性の高電圧（トランスファーゲートパルスＴＧＰ（例示値＋１５Ｖ））を印加することによって電荷移送が行われる。換言すれば、１相が転送電極と電荷移送のためのトランスファーゲート電極とを兼用している。
【００２２】
また、ＣＣＤカラー撮像素子１０５の電荷移送ゲート電極（ＴＧ電極；トランスファーゲート電極）の駆動ラインは複数の相（ｎ相）に分割されており、各相毎に個別にＴＧ電極を駆動することができる。つまり、従来公知の並べ替え加算読み出しによる特殊駆動を行うためには、各画素部（光電変換領域）から垂直転送路への電荷移送を全画素一斉にではなく、選択的に行う必要がある。このような機能を実現するために、本実施形態におけるＴＧ電極は、上述の選択的な電荷移送を行うためにｎ行周期の電極群に分割され、その電極群毎に独立に電荷移送ゲート駆動パルス（ＴＧパルス）を印加可能に構成してある。
【００２３】
本実施形態ではｎ＝５として、これと同じ周期的な電極群（ライン群）構成を有し、これらに対応して独立なＴＧパルスであるＴＧ１〜ＴＧ５を用いてＣＣＤ撮像素子１０５を駆動する場合を想定することにする。これらＴＧ１〜ＴＧ５（＋１５Ｖ）はＴＧブロック１０６から出力されるものであり、ＴＧ１〜ＴＧ５の発生タイミングはＴＧブロック１０６によって制御される。
【００２４】
すなわち、全画素個別読み出しを行う場合、または垂直ｎライン分全てを水平転送路で加算して読み出すという公知のｎライン加算駆動を行う場合などには、通常はＴＧ１〜ＴＧ５を同時的に発生して全画素の信号電荷を画素部から垂直転送路に移送することが必要となるが、本実施形態では、ＴＧ１〜ＴＧ５の同時発生（同時立ち上がり、同時立ち下がり）による電荷逆注入現象を防止するために、ＴＧブロック１０６によるＴＧ１〜ＴＧ５の発生タイミング調整により、それらＴＧ１〜ＴＧ５の立ち上がり同士および立ち下がり同士が同時に全て重ならないようにしている。
【００２５】
なお、本実施形態のデジタルカメラに於いては、上述のＴＧ１〜ＴＧ５のタイミング調整に関する部分と、これによって生じるライン段差の補正演算を除けば、通常のデジタルカメラと同様の動作および制御が行われるものであって、そのような公知の部分については説明を省略する。
【００２６】
次に、図２を参照して、上記ＣＣＤカラー撮像素子１０５の基本的な電極構造について説明する。
【００２７】
図２は、本第１の実施形態のデジタルカメラにおけるＣＣＤカラー撮像素子の基本的な電極構造を示した回路図である。
【００２８】
図２に示すように、ＣＣＤカラー撮像素子１０５においては、フォトダイオードを備える光電変換領域（画素部）が行及び列のマトリクス状に配置されており、かつ垂直方向の１列分の画素部毎に垂直転送路が設けられ、また垂直転送路それぞれに共通の水平転送路が設けられている。
【００２９】
なお、図２には垂直方向の１列分の画素部、およびそれに対応する垂直転送路に対応する構造のみが示されている。また、図２において、ｐ１，ｐ２，ｐ３，ｐ４，ｐ５，…はそれぞれ画素部を示し、ａ，ｂ，ｃ，ｄは４相駆動方式の垂直転送路の駆動電極（ＶＣＣＤ）を示している。
【００３０】
これら駆動電極（ＶＣＣＤ）のうちの電極ａは、画素部から垂直転送路へ電荷移送を行うための移送電極（Ｔｒａｎｓｆｅｒ  Ｇａｔｅ：ＴＧ電極）を兼ねている。電極ａに垂直転送路駆動時よりも高電圧のＴＧパルスを印加することにより、画素部から垂直転送路へ電荷移送が行われる。電極ｂ，ｃ，ｄについては全画素部で共通である。
【００３１】
電極ａ（ＴＧ電極）は、多彩な同色加算駆動および画素順並べ替えを実現するため、水平方向（行方向）の画素部間では共通であるが、垂直方向についてはｎ行周期で、それらｎ行それぞれに対応する電極群に分割されている。もちろん、本実施形態ではＴＧパルスの印加によるポテンシャル変動の度合いを時間的に分散させることを目的としているので、複数のＴＧパルスを印加可能な電極構造を有するＣＣＤ撮像素子であればよく、ＴＧ電極の分割周期構造そのものについては限定されるものではない。
【００３２】
次に、図３を参照して、全画素の信号電荷を画素部から垂直転送路に移送することが必要な場合におけるＴＧ１〜ＴＧ５の発生タイミングについて説明する。
【００３３】
図３は、本第１の実施形態のデジタルカメラで用いられる一タイミング例を示したタイミングチャートである。なお、ここでは、２つのＴＧパルスまではそれらの同時立ち上がり、同時立ち下がりが生じてもそれによるポテンシャル変動は許容範囲内であり、電荷逆注入現象が発生しない場合を想定している。
【００３４】
すなわち、最初にＴＧ１とＴＧ２が同時に発生され、次いでＴＧ１とＴＧ２の立ち下がりと同時にＴＧ３とＴＧ４が同時に発生される。そしてＴＧ３とＴＧ４の立ち下がりと同時にＴＧ５が発生される。本実施形態では、２つのＴＧパルスの同時立ち上がりが単独で発生するのはＴＧ１とＴＧ２が最初に発生されるタイミングだけであり、ＴＧ３とＴＧ４の同時立ち上がりにおいては、それと同時にＴＧ１とＴＧ２の同時立ち下がりが生じているので、ポテンシャル変動は相殺される。さらに、ＴＧ３とＴＧ４の同時立ち下がりのタイミングではＴＧ５が立ち上がっているので、ポテンシャル変動は差し引き一つのＴＧパルスの立ち上がり分のみとなる。
【００３５】
この場合のＴＧ１，２に対応するライン群（第１群）とＴＧ３，４に対応するライン群（第２群）との時間差、および第２群とＴＧ５に対応するライン群（第３群）との時間差はいずれも２μｓであり、従って、差が最大になる第１群と第３群の時間差は４μｓとなっている。一般に、ライン段差の視認検知限界は約１％であるから、露光時間４００μｓ以上の場合は段差補正の必要が無く、これより短い露光時間においては段差補正が必要となる。
【００３６】
ここで、本実施形態のデジタルカメラ１００は、高速側のシャッタ速の系列を、約１／３Ｅｖ（Ｔｖ）刻みで、
１／１００００ｓ（１００μｓ）、
１／８０００ｓ（１２５μｓ）、
１／６５００ｓ（１５４μｓ）、
１／５０００ｓ（２００μｓ）、
１／４０００ｓ（２５０μｓ）、
１／３０００ｓ（３３３μｓ）、
１／２５００（４００μｓ）、・・・
のように設けるものとする。
【００３７】
上述したように露光時間が４００μｓ未満の場合に段差補正が必要となるので、本実施形態においては、１／３０００ｓ（３３３μｓ）以上の高速シャッタ時のみ、デジタルプロセス回路１０８内の段差補正演算回路１２１において段差補正演算を行うこととする。
【００３８】
なお、以下の説明の便宜上、上記シャッタ系列を記載順にシャッタ番号ｔｎ＝０，１，２、・・・と表現する（例えばｔｎ＝０は１００μｓ、ｔｎ＝５は３３３μｓ等）。すなわち本実施形態においては、段差補正演算回路１２１による補正演算はシステムコントローラ１１２内のパラメータ認識手段１２０がｔｎ≦５を認識した場合のみ実行するものとする。
【００３９】
また、段差補正演算回路１２１による加算補正は、ＣＣＤカラー撮像素子１０５の出力信号に対してデジタルプロセス回路１０８において映像信号生成のための標準ガンマ処理（ガンマ≒０．４５）を施した後の信号に対して行う。この場合、リニア信号領域でも補正は可能であるが、信号レベルが大きい場合はこれに応じてより大きな補正値を加算する必要が生じるため、場合分け数が多くなり演算が複雑化する。本実施形態が採用したガンマ補正後であれば、信号レベルが大きい領域はより圧縮された特性となっているため段差も圧縮される形となっており、後述のような少ない場合分け（信号レベルに関する）で済むという効果がある。
【００４０】
本実施形態における具体的な補正処理の場合分けは、表１に例示するようなテーブルで表現される。なお、表１に示される具体的な加算値は、８ビット（０〜２５５）の信号に対するものである。
【００４１】
【表１】
0003607866.tif 000002
表１に示すように、本実施形態では、８ビット（０〜２５５）の信号に対して信号レベルを３段階（ｘ＜８０，８０≦ｘ＜１４４，１４４≦ｘ）に分け、さらに、上記３つのライン群（ＴＧ１，２に対応する第１群、ＴＧ３，４に対応する第２群、ＴＧ５に対応する第３群）の場合に分けて加算値を予め記憶している。
【００４２】
すなわち、上記パラメータ認識手段１２０が露光時間（シャッタ番号ｔｎ）および画素毎の信号のレベルおよびこれが属する群を認識し、段差補正演算回路１２１が補正量テーブルに従って求めた補正量をその画素の信号レベルに加算する。なお、第３群は露光時間が最長の群であるから、補正量は常に０となっている。（すなわちこの場合、実際には補正は第１群と第２群にだけ施すものであり第３群のテーブルデータは不要である。）以上が、標準処理である。
【００４３】
なお、本実施形態においては、第３群を基準として第１群および第２群に対して加算補正を施しているが、これに限らず、第２群を基準として第３群を減算、第１群を加算しても良いし、第１群を基準として第２群および第３群に対して減算補正を施しても良い。
【００４４】
なお、上記標準処理はＴＧパルスによって露光が終了される場合に有効であるが、例えばストロボを使用する場合などは発光終了によって実質的な露光終了が行われ、その後にＴＧパルスによって全露光が終了される場合がある。このような場合は原理的にライン段差が生じないから、上記標準処理を行うと過補正となり、かえってライン段差を生じるおそれがある。そこでストロボを使用する場合の過補正を防ぐために以下の条件判断を加えている。
【００４５】
すなわち露出制御系の情報に基づいてパラメータ認識手段１２０は図４のように条件判断を行い、加算補正の禁止を行う。
【００４６】
図４は、本第１の実施形態のデジタルカメラにおいてストロボ使用に係る加算補正処理の判断を示したフローチャートである。
【００４７】
システムコントローラ１１２は、まず、ストロボを発光するか否かを判断する（ステップＳ１）。ここで、発光しない場合はステップＳ６に移行して標準処理を行う。
【００４８】
一方、発光する場合は、次に、外部ストロボであるか否かの判断を行う（ステップＳ２）。ここで、外部ストロボである場合はステップＳ６に移行して標準処理を行う。
【００４９】
一方、内蔵ストロボである場合は、次に、発光時間は露光時間より長いか否かを判断する（ステップＳ３）。ここで、発光時間が露光時間より長い場合は、ステップＳ６に移行して標準処理を行う。
【００５０】
一方、発光時間が露光時間未満である場合は、次に、露光量に対する外光の寄与度が１／２以上であるか否かを判断する（ステップＳ４）。ここで、１／２以上である場合はステップＳ６に移行して標準処理を行う。
【００５１】
一方、１／２未満である場合は、加算補正禁止の処理を行い（ステップＳ５）、当該ルーチンを終了する。
【００５２】
すなわち、外部ストロボは一般に発光時間が長いものが多いため、実質的露光終了はＴＧで行われる。また、全露光量に対して外光が支配的な場合も同様である。内蔵ストロボの寄与が大きい場合に、発光時間（これは同一の像面露光量であっても例えば被写体距離によって大きく変わる）が露光時間を下回った場合のみ、実質的な露光終了はストロボ発光終了によって行われるといえるから、この場合に限って、上記禁止処理を採用している。
【００５３】
上記においてストロボの発光開始タイミングは露光開始とほぼ同時のいわゆる先幕シンクロが使用されており、この場合上記のとおり発光時間が露光時間より長いか否かによって、実質的な露光終了がＴＧパルスによって行なわれるかストロボの発光終了によって行なわれるかが定まることになる。
【００５４】
先にも延べたように、この加算補正を除けば全て従来公知のカメラと同様であり、所定の各種信号処理（必要に応じて圧縮処理を含む）を経た後に記録媒体であるメモリカードに記録される。
【００５５】
上記第１の実施形態のデジタルカメラによると、短い演算時間で、信号処理における不具合を生じること無く、ライン間段差を解消することができる。
【００５６】
ところで、本発明は上述した実施形態に限定されるものではない。まず、上記では、ストロボが発光が行なわれた場合であっても実質的露光終了がＴＧによって為される場合を考慮して各種場合分けを行なっているが、多くの場合はストロボ使用時はストロボによって実質的な露光終了となるから、制御を単純化して外部ストロボも含めてストロボ使用時は全て上記補正禁止処理を行なうようにしても良いことは言うまでも無い。
【００５７】
一方これとは別に、たとえば、第１の実施形態においては、上記図４に示すように、露光量に対する外光の寄与度が１／２以上であるか否かを判断し、１／２未満である場合は、加算補正禁止の処理を行うが、禁止せずとも補正量を変えることで対応することも可能である。すなわち、ストロボと外光との寄与比率に応じて補正量を変化させる（補正量＝０の場合として補正の禁止を含む）ように制御すればよい。
【００５８】
次に、この点を加味した本発明の第２の実施形態の撮像装置について説明する。
本第２の実施形態のデジタルカメラは、その構成は上記第１の実施形態と同様であり、ストロボ使用に係る加算補正処理の判断のみを異にしている。その他の構成、作用については上記第１の実施形態と同様であるので、ここでの詳しい説明は省略する。
【００５９】
第２の実施形態では、露光量に対する外光の寄与度が２／３以上のときに標準処理（上記第１の実施形態と同様に、表１のテーブルを使用）を行い、寄与度が２／３〜１／３のときには、この標準処理に対して加算の度合いを少なくした補正処理である小加算補正処理（表２のテーブルを使用）を行い、寄与度が１／３以下のときには、第１の実施形態と同様に加算補正を禁止する処理を行う。
【００６０】
なお、寄与度が２／３〜１／３のときに行う、小加算補正処理は以下に示す表２に従う。
【００６１】
【表２】
0003607866.tif 000003
図５は、本発明の第２の実施形態のデジタルカメラにおいてストロボ使用に係る加算補正処理の判断を示したフローチャートである。
【００６２】
システムコントローラ１１２は、まず、上記第１の実施形態と同様に、ストロボを発光するか否かを判断する（ステップＳ１）。ここで、発光しない場合はステップＳ６に移行して標準処理を行う。
【００６３】
一方、発光する場合は、次に、外部ストロボであるか否かの判断を行う（ステップＳ２）。ここで、外部ストロボである場合はステップＳ６に移行して標準処理を行う。
【００６４】
一方、内蔵ストロボである場合は、次に、発光時間は露光時間より長いか否かを判断する（ステップＳ３）。ここで、発光時間が露光時間より長い場合は、ステップＳ６に移行して標準処理を行う。
【００６５】
一方、発光時間が露光時間未満である場合は、次に、露光量に対する外光の寄与度が２／３以上であるか否かを判断する（ステップＳ１４）。ここで、２／３以上である場合はステップＳ６に移行して標準処理を行う。
【００６６】
一方、２／３未満である場合は、さらに、露光量に対する外光の寄与度が１／３以上であるか否かを判断する（ステップＳ１５）。ここで、１／３以上である場合はステップＳ１６に移行して小加算補正処理を行う。
【００６７】
一方、１／３未満である場合は、加算補正禁止の処理を行い（ステップＳ５）、当該ルーチンを終了する。
【００６８】
この第２の実施形態では、さらにきめ細かい補正をすることができ、有効にライン間段差を解消することができる。
【００６９】
また、ＴＧパルスのタイミングをずらす目的は任意であり、例えば従来技術で述べた「画素の並べ替え加算読み出し」にも同様に適用できる。
【００７０】
さらに、本発明は、デジタルスチルカメラに限らず、ムービーカメラを含む任意の撮像装置に適用可能である。
【００７１】
その他、本発明の要旨を逸脱しない範囲で、種々変形して実施することができる。
【００７２】
【発明の効果】
以上説明したように本発明によれば、短い演算時間で、信号処理における不具合を生じること無くライン間段差を解消することができる撮像装置を提供するこができる。
【図面の簡単な説明】
【図１】本発明の第１の実施形態である撮像装置の概略構成を示したブロック図である。
【図２】第１の実施形態のデジタルカメラにおけるＣＣＤカラー撮像素子の基本的な電極構造を示した回路図である。
【図３】第１の実施形態のデジタルカメラで用いられる一タイミング例を示したタイミングチャートである。
【図４】第１の実施形態のデジタルカメラにおいてストロボ使用に係る加算補正処理の判断を示したフローチャートである。
【図５】本発明の第２の実施形態のデジタルカメラにおいてストロボ使用に係る加算補正処理の判断を示したフローチャートである。
【符号の説明】
１００…デジタルカメラ
１０５…ＣＣＤカラー撮像素子
１０６…ＴＧブロック
１０８…デジタルプロセス回路
１１２…システムコントローラ
１２０…パラメータ認識手段
１２１…段差補正演算回路
【図１】
0003607866.tif 000004
【図２】
0003607866.tif 000005
【図３】
0003607866.tif 000006
【図４】
0003607866.tif 000007
【図５】
0003607866.tif 000008